(57)【要約】【課題】  製作性に優れるとともに、比較的厚みの小さいコンクリート基礎においても十分な強度を有するバルコニーの手摺構造を提供する。【解決手段】  アンカープレート２に所定幅の管状アンカー３を付設してなるアンカー部材１を備えてなるバルコニーの手摺構造であって、前記アンカー３に複数の透孔を穿設してなるものとされる。例えば、透孔４が側壁３ａや透孔５が底壁３ｂに穿設されてなるものとされる。【選択図】  図１
2005105614.tif 000002
【特許請求の範囲】
【請求項１】
バルコニーの手摺構造であって、アンカープレートに所定幅の管状アンカーを付設してなるアンカー部材を備えてなることを特徴とするバルコニーの手摺構造。
【請求項２】
前記アンカーに複数の透孔を穿設してなることを特徴とする請求項１記載のバルコニーの手摺構造。
【請求項３】
透孔が側壁に穿設されてなることを特徴とする請求項２記載のバルコニーの手摺構造。
【請求項４】
透孔が底壁に穿設されてなることを特徴とする請求項２記載のバルコニーの手摺構造。
【請求項５】
請求項１ないし請求項４のいずれか一項に記載のバルコニーの手摺構造を備えてなることを特徴とするバルコニー。
【請求項６】
請求項５記載のバルコニーを備えてなることを特徴とする建築物。
【発明の詳細な説明】
【技術分野】
【０００１】
本発明はバルコニーの手摺構造に関する。さらに詳しくは，基礎部の厚みが小さくても所望の強度が得られるバルコニーの手摺構造に関する。
【背景技術】
【０００２】
従来より、戸建住宅のバルコニーの手摺におけるアンカーとして、いわゆるＢＬ標準アンカーが一般的に用いられている。
【０００３】
図４にＢＬ標準アンカーの３型プレート溶接タイプを示し、図５に４型プレート溶接タイプ（４−Ａ型）を示す。
【０００４】
図４および図５に示すように、アンカー部材１００，２００は、アンカープレート１０１、２０１を有し、これにアンカー１０２，２０２を脚状に溶接してなるものとされる。ここで、アンカー１０２，２０２は、回転に対する剛性を高めるため複数設けられるのが通常とされる。なお、図中の符号ｄは基礎の厚みを示す。
【０００５】
ところが、前記ＢＬ標準アンカーは、７５〜１００ミリメートルくらいの比較的厚みｄの小さいコンクリート基礎の場合は埋設が困難になる場合がある、という問題がある。例えば、３型プレート溶接タイプでは、アンカー形状が棒状であるため埋設は一応可能であるが、各アンカー１０１の間隔が狭くなりすぎて回転に対する十分な剛性が確保できないとともに、かぶり厚も十分にはとれない。また、このタイプのものは形状が複雑であって、製作に手間が掛かり、生産コストの観点からも良いとはいえない。
【０００６】
また、前記４型プレート溶接タイプは、アンカー２０２が角パイプを切断しただけのシンプルな形状であり、製作性に優れるとともに、固定性も良好であるが、複数個の管材を用いているため厚みｄの小さいコンクリート基礎には埋設できない。
【発明の開示】
【発明が解決しようとする課題】
【０００７】
本発明はかかる従来技術の課題に鑑みなされたものであって、製作性に優れるとともに、比較的厚みの小さいコンクリート基礎においても十分な強度を有するバルコニーの手摺構造を提供することを目的としている。
【課題を解決するための手段】
【０００８】
本発明のバルコニーの手摺構造は、アンカープレートに所定幅の管状アンカーを付設してなるアンカー部材を備えてなることを特徴とする。
【０００９】
本発明のバルコニーの手摺構造においては、前記アンカーに複数の透孔を穿設してなるのが好ましい。例えば、透孔が側壁や底壁に穿設されてなるのが好ましい。
【００１０】
しかして、バルコニーの手摺構造はバルコニーに備えられ、そしてそのバルコニーは建築物に備えられる。
【発明の効果】
【００１１】
本発明によれば、アンカー部材の製作性の向上を図りながら、コンクリートの基礎の厚みが小さいバルコニーであっても、所望強度の手摺を得ることができるという優れた効果が得られる。
【発明を実施するための最良の形態】
【００１２】
以下、添付図面を参照しながら本発明を実施形態に基づいて説明するが、本発明はかかる実施形態のみに限定されるものではない。
【００１３】
図１に本発明の一実施形態に係るバルコニーの手摺構造のアンカー部材を側面図により示し、図２に同アンカー部材を正面図により示し、図３に同アンカー部材を底面図により示す。
【００１４】
図１および図２に示すように、アンカー部材１は、方形板状のアンカープレート２と、この一方表面に、溶接等により１つの外周面が接着されてなる１個の短い角パイプからなるアンカー３とから構成される。ここで、アンカープレート２のサイズは例えば２５０ミリメートル角とされ、アンカー３のサイズは例えば１５０ミリメートル角ｘ７５ミリメートル幅とされる。
【００１５】
アンカー３は、アンカープレート２との接着面から垂直に延びる２つの管壁（以下、側壁という）３ａに所定数の透孔４が縦方向に１列に並ぶようにして形成されている。
【００１６】
また、図３に示すように、アンカープレート２との接着面と対向する位置の管壁（以下、底壁という）３ｂにも所定数の透孔５が縦方向（管の周方向）に１列に並ぶようにして形成されている。
【００１７】
前掲したとおり、アンカー部材１は、短い角パイプ状の１個のアンカー３を有するだけであるため、比較的厚みの小さいコンクリート基礎Ｌに設けることが可能である。
【００１８】
また、アンカー３の側壁３ａに所定数の透孔４が縦方向に１列に並ぶようにして形成されているので、コンクリート基礎Ｌに埋設されたときに、図１に点線１１，１２で示す部分がそれぞれ１本のアンカーと同様に機能する。つまり、１つの側壁３ａが回転剛性において２本のアンカーが配置されているのと同様に機能する。これに加えて、２本の部材ではなく１本の部材の周囲にコンクリートが回り込むので、より強力にコンクリート基礎Ｌと一体化させることが可能となる。したがって、１個の部材でありながら、図示例では、４本のアンカーを設けたのと同様に機能し、十分な回転剛性が得られる。
【００１９】
また、底壁３ｂにも透孔５が設けられるため、コンクリートの打設時に回り込みが良好となり、欠損部が生じにくくなる。したがって、さらに回転剛性を高めることが可能となる。
【００２０】
以上、本発明を実施形態に基づいて説明してきたが、本発明かかる実施形態のみに限定されるものではなく、種々改変が可能である。例えば、実施形態では透孔は円形とされているが、透孔は各種形状のものとでき、例えば角形やひし形などとすることもできる。
【００２１】
また、実施形態では戸建住宅を例に取り説明されているが、本発明の適用は戸建住宅に限定されるものではなく、バルコニーを有する各種の建築物に適用でき、例えば集合住宅やいわゆるグループホームにも適用できる。
【産業上の利用可能性】
【００２２】
本発明は、コンクリート基礎に埋設される手摺構造に適用できる。
【図面の簡単な説明】
【００２３】
【図１】本発明の一実施形態に係るバルコニーの手摺構造のアンカー部材の側面図である。
【図２】同正面図である。
【図３】同底面図である。
【図４】従来のバルコニーの手摺構造のアンカー部材の一例を示す斜視図である。
【図５】同他の一例を示す斜視図である。
【符号の説明】
【００２４】
１    アンカー部材
２    アンカープレート
３    アンカー
４    側壁透孔
５    底壁透孔
Ｌ    コンクリート基礎
【図１】
2005105614.tif 000003
【図２】
2005105614.tif 000004
【図３】
2005105614.tif 000005
【図４】
2005105614.tif 000006
【図５】
2005105614.tif 000007